【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
無線通信システムの送信端においてＡＲＱフィードバックを要請するための方法であって、
少なくとも一つのＡＲＱブロックを受信端に送信する過程と、
拡張ヘッダを利用して前記受信端にＡＲＱフィードバックを要請する過程と、
ＡＲＱフィードバックの有効時間内に前記受信端からＡＲＱフィードバック情報が受信されるかどうかを確認する過程と、
ＡＲＱフィードバックの有効時間内にＡＲＱフィードバック情報を受信しない場合、前記受信端にＡＲＱフィードバックを再要請する過程と、を含む方法。
【請求項２】
ＡＲＱフィードバックの有効時間内にＡＲＱフィードバック情報が受信される場合、前記ＡＲＱフィードバック情報を介して前記少なくとも一つのＡＲＱブロックの送信成功有無を判断する過程をさらに含む請求項１に記載の方法。
【請求項３】
前記ＡＲＱブロックを受信端に送信する過程の前にまたは前記ＡＲＱフィードバックを要請する過程の前に、前記受信端に対したＡＲＱフィードバックの有効時間を決定する過程をさらに含む請求項１または２に記載の方法。
【請求項４】
前記ＡＲＱフィードバックの有効時間を決定する過程は、
前記ＡＲＱブロックを受信端に送信する過程の前に前記受信端との初期接続またはデータサービスパラメーターを決定する時、前記受信端に対したＡＲＱフィードバックの有効時間を決定する過程を含み、
前記データサービスパラメーターの決定は、ＤＳＡ（Ｄｙｎａｍｉｃ  Ｓｅｒｖｉｃｅ  Ａｄｄｉｔｉｏｎ）を含む請求項３に記載の方法。
【請求項５】
請求項１ないし４のいずれか一項に記載の前記拡張ヘッダは、ＡＲＱフィードバックを要請するサービス接続識別子情報、及びＡＲＱフィードバック要請情報を含み、
前記ＡＲＱフィードバック要請情報は、前記拡張ヘッダのタイプとして表す方法。
【請求項６】
前記受信端にＡＲＱフィードバックを要請する過程の後、前記受信端がＡＲＱフィードバックのための資源を要請する場合、ＡＲＱフィードバックのための資源を前記受信端に割り当てる過程をさらに含む請求項１ないし５のいずれか一項に記載の方法。
【請求項７】
無線通信システムの送信端においてＡＲＱフィードバックを要請するための装置であって、
少なくとも一つのＡＲＱブロックを受信端に送信する送信装置と、
信号を受信する受信装置と、
前記送信装置を介して前記受信端にＡＲＱフィードバックを要請した後、ＡＲＱフィードバックの有効時間内にＡＲＱフィードバック情報を受信しない場合、前記受信端にＡＲＱフィードバックを再要請するＡＲＱ制御部と、を備え、
前記送信装置は、拡張ヘッダを利用して前記受信端にＡＲＱフィードバックを要請する装置。
【請求項８】
前記ＡＲＱ制御部は、ＡＲＱフィードバックの有効時間内に前記受信装置を介して前記受信端からＡＲＱフィードバック情報が受信される場合、前記ＡＲＱフィードバック情報を介して前記少なくとも一つのＡＲＱブロックの送信成功有無を判断する請求項７に記載の装置。
【請求項９】
前記送信装置を介してＡＲＱブロックを受信端に送信する前にまたは前記ＡＲＱ制御部からフィードバックを要請する前に、前記受信端に対したＡＲＱフィードバックの有効時間を決定するＡＲＱフィードバック制御部をさらに備える請求項７または８に記載の装置。
【請求項１０】
前記ＡＲＱフィードバック制御部は、前記送信装置を介してＡＲＱブロックを受信端に送信する前に、前記受信端との初期接続またはデータサービスパラメーターを決定する時、前記受信端に対したＡＲＱフィードバックの有効時間を決定し、
前記データサービスパラメーターの決定は、ＤＳＡ（Ｄｙｎａｍｉｃ  Ｓｅｒｖｉｃｅ  Ａｄｄｉｔｉｏｎ）を含む請求項９に記載の装置。
【請求項１１】
請求項７ないし１０のいずれか一項に記載の前記拡張ヘッダは、ＡＲＱフィードバックを要請するサービス接続識別子情報、及びＡＲＱフィードバック要請情報を含み、
前記ＡＲＱフィードバック要請情報は、前記拡張ヘッダのタイプとして表す方法。
【請求項１２】
前記ＡＲＱ制御部は、前記受信端にＡＲＱフィードバックを要請した後、前記受信端がＡＲＱフィードバックのための資源を要請する場合、前記受信端にＡＲＱフィードバックのための資源を割り当てる請求項７ないし１１のいずれか一項に記載の装置。
【請求項１３】
無線通信システムの送信端においてＡＲＱフィードバックを要請するための方法であって、
少なくとも一つのＡＲＱブロックを受信端に送信する過程と、
拡張ヘッダを利用して前記受信端にＡＲＱフィードバックを要請する過程と、
前記受信端のＡＲＱフィードバック送信時点に前記受信端からＡＲＱフィードバック情報が受信されているかどうかを確認する過程と、
前記受信端のＡＲＱフィードバック送信時点にＡＲＱフィードバック情報を受信しない場合、前記受信端にＡＲＱフィードバックを再要請する過程と、を含む方法。
【請求項１４】
前記受信端のＡＲＱフィードバック送信時点にＡＲＱフィードバック情報が受信される場合、前記ＡＲＱフィードバック情報を介して前記少なくとも一つのＡＲＱブロックの送信成功有無を判断する過程をさらに含む請求項１３に記載の方法。
【請求項１５】
前記ＡＲＱブロックを受信端に送信する過程の前にまたは前記ＡＲＱフィードバックを要請する過程の前に、前記受信端のＡＲＱフィードバック送信時点を決定する過程をさらに含む請求項１３または１４に記載の方法。
【請求項１６】
前記ＡＲＱフィードバック送信時点を決定する過程は、
前記ＡＲＱブロックを受信端に送信する過程前に、前記受信端との初期接続またはデータサービスパラメーターを決定する時、前記受信端に対したＡＲＱフィードバックの送信時点を決定する過程を含み、
前記データサービスパラメーターの決定は、ＤＳＡ（Ｄｙｎａｍｉｃ  Ｓｅｒｖｉｃｅ  Ａｄｄｉｔｉｏｎ）を含む請求項１５に記載の方法。
【請求項１７】
請求項１３ないし１６のいずれか一項に記載の前記拡張ヘッダは、ＡＲＱフィードバックを要請するサービス接続識別子情報、及びＡＲＱフィードバック要請情報を含み、
前記ＡＲＱフィードバック要請情報は、前記拡張ヘッダのタイプとして表す方法。
【請求項１８】
前記受信端にＡＲＱフィードバックを要請する過程の後、前記受信端のＡＲＱフィードバック送信時点を考慮して、前記受信端にＡＲＱフィードバックのための資源を割り当てる過程をさらに含む請求項１３ないし１７に記載の方法。
【請求項１９】
無線通信システムの送信端においてＡＲＱフィードバックを要請するための装置であって、
少なくとも一つのＡＲＱブロックを受信端に送信する送信装置と、
信号を受信する受信装置と、
前記送信装置を介して前記受信端にＡＲＱフィードバックを要請した後、前記受信端のＡＲＱフィードバック送信時点にＡＲＱフィードバック情報を受信しない場合、前記受信端にＡＲＱフィードバックを再要請するＡＲＱ制御部と、を備え、
前記送信装置は、拡張ヘッダを利用して前記受信端にＡＲＱフィードバックを要請する装置。
【請求項２０】
前記ＡＲＱ制御部は、前記受信端のＡＲＱフィードバック送信時点に前記受信装置を介して前記受信端からＡＲＱフィードバック情報が受信される場合、前記ＡＲＱフィードバック情報を介して前記少なくとも一つのＡＲＱブロックの送信成功有無を判断する請求項１９に記載の装置。
【請求項２１】
前記送信装置を介してＡＲＱブロックを受信端に送信する前にまたは前記ＡＲＱ制御部からＡＲＱフィードバックを要請する前に、前記受信端のＡＲＱフィードバック送信時点を決定するＡＲＱフィードバック制御部をさらに備える請求項１９または２０に記載の装置。
【請求項２２】
前記ＡＲＱフィードバック制御部は、前記送信装置を介してＡＲＱブロックを受信端に送信する前に、前記受信端との初期接続またはデータサービスパラメーターを決定する時、前記受信端に対したＡＲＱフィードバックの有効時間を決定し、
前記データサービスパラメーターの決定は、ＤＡＳ（Ｄｙｎａｍｉｃ  Ｓｅｒｖｉｃｅ  Ａｄｄｉｔｉｏｎ）を含む請求項２１に記載の装置。
【請求項２３】
請求項１９または２２のいずれか一項に記載の前記拡張ヘッダは、ＡＲＱフィードバックを要請するサービス接続識別子情報、及びＡＲＱフィードバック要請情報を含み、
前記ＡＲＱフィードバック要請情報は、前記拡張ヘッダのタイプとして表す方法。
【請求項２４】
前記ＡＲＱ制御部は、前記受信端にＡＲＱフィードバックを要請した後、前記受信端のＡＲＱフィードバック送信時点を考慮して、前記受信端にＡＲＱフィードバックのための資源を割り当てる請求項１９ないし２３に記載の装置。